(57)【要約】【課題】発光量の変化により配光角が変化した場合でも被写体を適切に照明可能な照明装置およびそれを備えるカメラシステムを提供すること。【解決手段】撮像装置に外付け装着され、または一体に設けられて被写体の照明に用いられる照明装置であって、発光手段と、発光手段からの光を反射する反射手段と、を備える光源部と、光源部の配光角を変化させるために、発光手段と反射手段の相対距離が変化するように発光手段および反射手段の少なくとも一方を移動させる移動手段と、発光手段の発光量に基づいて、移動手段を介して発光手段および反射手段の少なくとも一方の位置を制御する制御手段と、を有する。【選択図】図２
2019132914.tif 000002
【特許請求の範囲】
【請求項１】
撮像装置に外付け装着され、または一体に設けられて被写体の照明に用いられる照明装置であって、
発光手段と、前記発光手段からの光を反射する反射手段と、を備える光源部と、
前記光源部の配光角を変化させるために、前記発光手段と前記反射手段の相対距離が変化するように前記発光手段および前記反射手段の少なくとも一方を移動させる移動手段と、
前記発光手段の発光量に基づいて、前記移動手段を介して前記発光手段および前記反射手段の少なくとも一方の位置を制御する制御手段と、を有することを特徴とする照明装置。
【請求項２】
前記制御手段は、前記発光手段の前記反射手段に対する相対位置および前記発光手段の発光量に基づいて、前記移動手段を介して前記発光手段および前記反射手段の少なくとも一方の位置を制御することを特徴とする請求項１に記載の照明装置。
【請求項３】
前記発光手段には、導電性被膜が塗布され、
前記制御手段は、前記導電性被膜の前記反射手段に対する相対位置および前記発光手段の発光量に基づいて、前記移動手段を介して前記発光手段および前記反射手段の少なくとも一方の位置を制御することを特徴とする請求項１または２に記載の照明装置。
【請求項４】
前記制御手段は、予備発光を実行することで算出された本発光時の前記発光手段の発光量に基づいて、前記移動手段を介して前記発光手段および前記反射手段の少なくとも一方の位置を制御することを特徴とする請求項１から３のいずれか１項に記載の照明装置。
【請求項５】
前記制御手段は、予備発光が行われる場合、前記発光手段の前記反射手段に対する相対位置および前記発光手段の発光量に基づいて前記移動手段を介して前記発光手段および前記反射手段の少なくとも一方の位置を制御することを特徴とする請求項４に記載の照明装置。
【請求項６】
前記制御手段は、前記光源部の配光角が優先される配光優先発光モードが設定されている際に、前記発光手段の発光量の変化により前記光源部の配光角が広くなる場合、前記発光手段および前記反射手段の位置を変更しないことを特徴とする請求項１から５のいずれか１項に記載の照明装置。
【請求項７】
前記制御手段は、前記光源部の配光角が優先される配光優先発光モードが設定されている際に、前記発光手段の発光量の変化により前記光源部の配光角が狭くなる場合、前記発光手段および前記反射手段の少なくとも一方の位置を広角側に移動させることを特徴とする請求項１から６のいずれか１項に記載の照明装置。
【請求項８】
前記制御手段は、ガイドナンバーが優先されるガイドナンバー優先モードが設定されている際に、前記発光手段の発光量の変化により前記光源部の配光角が狭くなる場合、前記発光手段および前記反射手段の位置を変更しないことを特徴とする請求項１から７のいずれか１項に記載の照明装置。
【請求項９】
前記制御手段は、ガイドナンバーが優先されるガイドナンバー優先モードが設定されている際に、前記発光手段の発光量の変化により前記光源部の配光角が広くなる場合、前記発光手段および前記反射手段の少なくとも一方の位置を望遠側に移動させることを特徴とする請求項１から８のいずれか１項に記載の照明装置。
【請求項１０】
請求項１から９のいずれか１項に記載の照明装置と、
前記照明装置が外付け装着され、または一体に設けられている撮像装置と、を有することを特徴とするカメラシステム。
【発明の詳細な説明】
【技術分野】
【０００１】
本発明は、照射角を変更可能な照明装置およびそれを備えるカメラシステムに関する。
【背景技術】
【０００２】
従来、配光角を変更可能なズームストロボがあり、レンズの画角に応じて、放電管（例えば、キセノン管）、反射傘および光学レンズを変更して照射角を変更する方法が知られている。特許文献１では、焦点距離の変化に対応して反射笠曲面部の開口部を変化させてストロボ発光の照射角を切り換え可能なストロボ組込カメラが開示されている。
【先行技術文献】
【特許文献】
【０００３】
【特許文献１】特開平１−１４７５３０公報
【発明の概要】
【発明が解決しようとする課題】
【０００４】
近年、放電管の小型化に伴い、放電管と反射傘の相対位置を変化させて配光角を変化させる技術が提案されている。この場合、放電管と反射傘の相対位置が少しでも変化すると、配光角が大きく変化してしまう。
【０００５】
図１は、従来の放電管１と反射傘２の断面図であり、放電管１と反射傘２の相対位置と配光角の変化を示している。図１（ａ）、図１（ｂ）、図１（ｃ）はそれぞれ、撮影レンズが広角状態、標準状態、望遠状態である場合に対応している。図に示されるように、放電管１の中心と反射傘２の底部の相対距離Ｌｎ（ｎ＝１、２、３）はＬ１＞Ｌ２＞Ｌ３の関係となり、配光角θｎ（ｎ＝１、２、３）はθ１＞θ２＞θ３の関係となる。
【０００６】
フル発光時では、放線管に流れる電流が増加し、放電管の管内全体が発光する。小発光時では、放線管に流れる電流が減少し、放電管の管内の特定位置が発光する。放電管の配光は、放電管１の中心に発光体が位置する場合に最適になるように設計されている。しかしながら、小発光時に導電性の反射傘や放電管に塗布された導電性被膜に引き寄せられることで発光体の位置が変化し、配光角が変化してしまう場合がある。
【０００７】
特許文献１のストロボ組込カメラでは、小発光時の配光角の変化については考慮されていないため、配光角がユーザーの意図しない角度になってしまった場合、被写体に適切に照明光を当てることができない。
【０００８】
本発明は、発光量の変化により配光角が変化した場合でも被写体を適切に照明可能な照明装置およびそれを有するカメラシステムを提供することを目的とする。
【課題を解決するための手段】
【０００９】
本発明の一側面としての照射装置は、撮像装置に外付け装着され、または一体に設けられて被写体の照明に用いられる照明装置であって、発光手段と、前記発光手段からの光を反射する反射手段と、を備える光源部と、前記光源部の配光角を変化させるために、前記発光手段と前記反射手段の相対距離が変化するように前記発光手段および前記反射手段の少なくとも一方を移動させる移動手段と、前記発光手段の発光量に基づいて、前記移動手段を介して前記発光手段および前記反射手段の少なくとも一方の位置を制御する制御手段と、を有することを特徴とする。
【発明の効果】
【００１０】
本発明によれば、発光量の変化により配光角が変化した場合でも被写体を適切に照明可能な照明装置およびそれを備えるカメラシステムを提供することができる。
【図面の簡単な説明】
【００１１】
【図１】従来の反射傘と放電管の相対位置と配光角の変化を示す図である
【図２】カメラシステムの電気的な構成を示す概略図である。
【図３】カメラシステムの光学的な構成を示す概略図である。
【図４】カメラ本体と照明装置との端子を介したデータ通信例を示す図である。
【図５】放電管と反射傘を示す図である。
【図６】ストロボズームによる放電管と反射傘の相対位置の変化、および放電管の発光量の変化の光源部の配光角に対する影響の説明図である。
【図７】ストロボズームによる放電管と反射傘の相対位置の変化、および放電管の発光量の変化の光源部の配光角に対する影響の説明図である。
【図８】ストロボズームによる放電管と反射傘の相対位置の変化、および放電管の発光量の変化の光源部の配光角に対する影響の説明図である。
【図９】ストロボズームによる放電管と反射傘の相対位置の変化、および放電管の発光量の変化に基づく光源部の上下配光カーブを示す図である。
【図１０】ストロボズームおよび発光撮影に係るカメラ本体の各種処理を示すフローチャートである。
【図１１】ストロボズームおよび発光撮影に係るカメラ本体の各種処理を示すフローチャートである。
【図１２】ストロボズーム処理を示すフローチャートである（実施例１）。
【図１３】ストロボズーム補正処理を示すフローチャートである。
【図１４】ストロボズーム処理を示すフローチャートである（実施例２）。
【発明を実施するための形態】
【００１２】
以下、本発明の実施例について、図面を参照しながら詳細に説明する。各図において、同一の部材については同一の参照番号を付し、重複する説明は省略する。
【実施例１】
【００１３】
図２は、本実施例のカメラシステムの電気的な構成を示す概略図である。図３は、カメラシステムの光学的な構成を示す図である。カメラシステムは、カメラ本体（撮像装置）１００、レンズユニット２００および照明装置３００を有する。本実施例では、レンズユニット２００および照明装置３００はそれぞれ、カメラ本体１００に外付け装着されているが、カメラ本体１００に一体に設けられてもよい。
［カメラ本体１００の構成］
マイクロコンピュータＣＣＰＵ（以下、カメラマイコン）１０１は、カメラ本体１００の各部を制御する。カメラマイコン１０１は、ＣＰＵ、ＲＯＭ、ＲＡＭ、入出力制御回路（Ｉ／Ｏコントロール回路）、マルチプレクサ、タイマー回路、ＥＥＰＲＯＭ、Ａ／ＤコンバータおよびＤ／Ａコンバータ等の電子回路を含むマイコン内蔵ワンチップＩＣ回路である。また、カメラマイコン１０１は、カメラシステムの制御をソフトウェアで行うことができ、各種の条件判定を行う。
【００１４】
撮像素子１０２は赤外カットフィルタやローパスフィルタ等を含むＣＣＤやＣＭＯＳ等の撮像素子であり、撮像素子１０２の撮像面にはレンズ群２０２によって撮影時に被写体像が結像される。シャッタ１０３は、撮像素子１０２を遮光する位置と、撮像素子１０２を露光する位置との間を移動する。
【００１５】
メインミラー１０４は、ハーフミラーであり、レンズ群２０２より入射する光の一部を反射し、ピント板１０５に被写体像を結像させる位置と、レンズ群２０２より入射する光の撮像素子１０２への光路（撮影光路）内から退避する位置との間を移動する。ピント板１０５に結像された被写体像は、不図示の光学ファインダーを介してユーザーにより確認される。
【００１６】
測光回路（ＡＥ回路）１０６は、測光センサーを備え、被写体を複数の領域に分割しそれぞれの領域で測光を行う。測光センサーは、ペンタプリズム１１４を介してピント板１０５に結像された被写体像を見込んでいる。焦点検出回路（ＡＦ回路）１０７は、複数の焦点検出点を有する焦点検出センサーを備え、各焦点検出点のデフォーカス量などの焦点情報を出力する。
【００１７】
ゲイン切換回路１０８は、撮像素子１０２から出力される信号を増幅させるものであり、ゲインの切り換えは、撮影条件やユーザーの操作等に応じてカメラマイコン１０１により行われる。Ａ／Ｄ変換器１０９は、ゲイン切換回路１０８により増幅された撮像素子１０２から出力されるアナログ信号をデジタル信号に変換する。タイミングジェネレータ（ＴＧ）１１０は、ゲイン切換回路１０８により増幅された撮像素子１０２から出力されるアナログ信号の入力とＡ／Ｄ変換器１０９の変換タイミングを同期させる。信号処理回路１１１は、Ａ／Ｄ変換器１０９でデジタル信号に変換された画像データに対して信号処理を行う。
【００１８】
通信ラインＳＣは、カメラ本体１００、レンズユニット２００および照明装置３００のインタフェースの信号ラインである。例えば、カメラマイコン１０１をホストとしてデータの交換やコマンドの伝達などの情報の通信を相互に行う。通信ラインＳＣの一例として、端子１２０、１３０では、３端子式のシリアル通信が行われる。
【００１９】
端子１２０は、カメラ本体１００とレンズユニット２００の通信の同期をとるためのＳＣＬＫ＿Ｌ端子、レンズユニット２００にデータを送信するＭＯＳＩ＿Ｌ端子、およびレンズユニット２００から送信されたデータを受信するＭＩＳＯ＿Ｌ端子を有する。また、端子１２０は、カメラ本体１００とレンズユニット２００の両方に接続されるＧＮＤ端子も有する。
【００２０】
端子１３０は、カメラ本体１００に照明装置３００やカメラアクセサリ装置を着脱するための端子であり、カメラマイコン１０１に接続されている。端子１３０は、カメラ本体１００と照明装置３００の通信の同期をとるためのＳＣＬＫ＿Ｓ端子、カメラ本体１００から照明装置３００にデータを送信するＭＯＳＩ＿Ｓ端子、照明装置３００から送信されたデータを受信するＭＩＳＯ＿Ｓ端子を有する。
【００２１】
図４は、カメラ本体１００と照明装置３００との端子１３０を介したデータ通信例を示す図である。カメラマイコン１０１からストロボマイコン（制御手段）３１０にデータを送信する場合、ＳＣＫ＿Ｓ端子の８ビットのクロックに同期してＭＯＳＩ＿Ｓ端子より各ビットを０、１とするデータをシリアルで送信する。また、ストロボマイコン３１０からカメラマイコン１０１にデータを送信する場合、ＳＣＬＫ＿Ｓ端子の８ビットのクロックに同期してＭＩＳＯ＿Ｓ端子より各ビットを０、１とするデータをシリアルで送信する。なお、図４では、８ビット（１バイト）通信でＳＣＬＫ＿Ｓ信号の立ち上がりで信号の読み書きを行っているが、８ビット通信をコマンド、コマンドデータ、データと複数回連続で送信を行う。通信される情報は、カメラマイコン１０１からストロボマイコン３１０に送信される。
【００２２】
入力部１１２は、電源スイッチ、レリーズスイッチ、設定ボタンおよびバウンス開始ボタンなどの操作部を含む。カメラマイコン１０１は、入力部１１２への入力に応じて各種処理を実行する。レリーズスイッチが１段階操作（半押し）され、ＳＷ１がＯＮになると、カメラマイコン１０１は焦点調節や測光などの撮影準備動作を開始させる。また、レリーズスイッチが２段階操作（全押し）され、ＳＷ２がＯＮになると、カメラマイコン１０１は露光や現像処理などの撮影動作を開始させる。また、入力部１１２の設定ボタンなどを操作することで、カメラ本体１００に装着される照明装置３００の各種設定を行うこともできる。表示部１１３は、液晶装置や発光素子を有し、各種設定されたモードやその他の撮影情報などを表示する。
【００２３】
ペンタプリズム１１４は、ピント板１０５に結像された被写体像を測光回路１０６の測光センサーおよび不図示の光学ファインダーに導く。サブミラー１１５は、レンズ群２０２より入射し、メインミラー１０４を透過した光を焦点検出回路１０７の焦点検出センサーに導く。
［レンズユニット２００の構成］
マイクロコンピュータＬＰＵ（以下、レンズマイコン）２０１は、レンズユニット２００の各部を制御する。レンズマイコン２０１は、ＣＰＵ、ＲＯＭ、ＲＡＭ、入出力制御回路、マルチプレクサ、タイマー回路、ＥＥＰＲＯＭ、Ａ／ＤコンバータおよびＤ／Ａコンバータ等の電子回路を含むマイコン内蔵ワンチップＩＣ回路である。
【００２４】
レンズ群２０２は、フォーカスレンズやズームレンズなどを含む複数枚のレンズで構成されている。なお、レンズ群２０２には、ズームレンズは含まれなくてもよい。レンズ駆動部２０３は、レンズ群２０２に含まれるレンズを移動させる駆動系である。レンズ群２０２の駆動量は、焦点検出回路１０７の出力に基づいてカメラマイコン１０１により算出される。算出された駆動量は、カメラマイコン１０１からレンズマイコン２０１に送信される。エンコーダ２０４は、レンズ群２０２の位置を検出し、駆動情報を出力する。レンズ駆動部２０３は、エンコーダ２０４からの駆動情報に基づいてレンズ群２０２を移動させて焦点調節を行う。絞り２０５は、通過する光量を調節し、絞り制御手段２０６を介してレンズマイコン２０１により制御される。
［照明装置３００の構成］
照明装置３００は、制御部３００ａおよび発光部３００ｂにより構成されている。マイクロコンピュータＦＰＵ（以下、ストロボマイコン）３１０は、照明装置３００の各部を制御する。ストロボマイコン３１０は、ＣＰＵ、ＲＯＭ、ＲＡＭ、入出力制御回路（Ｉ／Ｏコントロール回路）、マルチプレクサ、タイマー回路、ＥＥＰＲＯＭ、Ａ／ＤコンバータおよびＤ／Ａコンバータ等の電子回路を含むマイコン内蔵ワンチップＩＣ回路である。カメラマイコン１０１およびストロボマイコン３１０はペリフェラル通信機能を備え、端子１３０を経由して互いに通信を行う。
【００２５】
電池３０１は、照明装置３００の電源（ＶＢＡＴ）として機能する。昇圧回路ブロック３０２は、昇圧部３０２ａ、電圧検出に用いる抵抗３０２ｂ、３０２ｃ、およびメインコンデンサ３０２ｄを有する。昇圧回路ブロック３０２は、電池３０１の電圧を昇圧部３０２ａにより数百Ｖに昇圧してメインコンデンサ３０２ｄに発光のための電気エネルギーを充電させる。
【００２６】
メインコンデンサ３０２ｄの充電電圧は抵抗３０２ｂ、３０２ｃにより分圧され、分圧された電圧はストロボマイコン３１０のＡ／Ｄ変換端子に入力される。トリガー回路３０３は、放電管（発光手段）３０５を励起させためのパルス電圧を放電管３０５に印加する。発光制御回路３０４は、放電管３０５の発光の開始および停止を制御する。放電管３０５は、トリガー回路３０３から数ＫＶのパルス電圧を印加されることで励起し、メインコンデンサ３０２ｄに充電された電気エネルギーを用いて発光する。反射傘（反射手段）３０６は、固定され、放電管３０５から発せられる光を反射させて所定の方向へ導く。本実施例では、放電管３０５および反射傘３０６により光源部が構成される。
【００２７】
図５は、放電管３０５と反射傘３０６を示す図である。本実施例では、放電管３０５が反射傘３０６に対して矢印方向（前後方向）へ移動することで光源部の配光角を変化させることが可能である。放電管３０５が反射傘３０６の底部から遠ざかる方向（前方向）へ移動する場合は配光角が広くなり、底部に近づく方向（後方向）へ移動する場合は配光角が狭くなる。
【００２８】
フォトダイオード３１４は、直接またはグラスファイバーなどを介して放電管３０５から発せられる光を受光する。積分回路３０９は、フォトダイオード３１４の受光電流を積分する。積分回路３０９の出力は、コンパレータ３１５の反転入力端子とストロボマイコン３１０のＡ／Ｄコンバータ端子に入力される。コンパレータ３１５の非反転入力端子はストロボマイコン３１０のＤ／Ａコンバータ端子に接続され、コンパレータ３１５の出力はＡＮＤゲート３１１の第１入力端子に入力される。ＡＮＤゲート３１１の第２入力端子はストロボマイコン３１０の発光制御端子に接続され、ＡＮＤゲート３１１の出力は発光制御回路３０４に入力される。
【００２９】
ズーム光学系３０７は、光学パネル（フレネルレンズ等）などを含み、放電管３０５および反射傘３０６との相対位置を変更可能に保持されている。反射傘３０６とズーム光学系３０７の相対位置を変更することにより、照明装置３００のガイドナンバーおよび照射範囲を変化させることができる。
【００３０】
ズーム駆動回路（移動手段）３３０は、ズーム検出部３３１およびズーム駆動部３３２を有する。ズーム検出部３３１は、放電管３０５と反射傘３０６の相対位置に関する情報をエンコーダなどにより検出する。ズーム駆動部３３２は、放電管３０５を反射傘３０６に対して前後方向へ移動させるためのモータを含む。放電管３０５の駆動量は、カメラマイコン１０１を介して取得された焦点距離情報（ズーム情報）に基づいてストロボマイコン３１０により算出される。
【００３１】
入力部３１２は、電源スイッチ、照明装置３００の動作モードを設定するモード設定スイッチおよび各種パラメータを設定する設定ボタンなどの操作部を含む。ストロボマイコン３１０は、入力部３１２への入力に応じて各種処理を実行する。照明装置３００の動作モードには、例えば、ユーザーが自由に発光量を設定できるマニュアルモードや予備発光の結果に基づいて本発光時の発光量を決定する予備発光モードが含まれる。また、動作モードには、ユーザーが配光角を焦点距離情報に基づいて決定される配光角より広く設定可能な配光優先発光モードやガイドナンバー優先モードの設定も行うことができる。表示部３１３は、液晶装置や発光素子を有し、照明装置３００の状態を表示する。
【００３２】
以下、図６〜図９を参照して、ストロボズームによる放電管３０５と反射傘３０６の相対位置の変化、および放電管３０５の発光量の変化の光源部の配光角に対する影響について説明する。ストロボズームとは、本実施例では、光源部の配光角を変化させることで、照明装置３００の照射角を変化させることをいう。図６〜図８は、ストロボズームによる放電管３０５と反射傘３０６の相対位置の変化、および放電管３０５の発光量の変化の光源部の配光角に対する影響の説明図であり、放電管３０５および反射傘３０６を横から見た断面図を示している。図９は、ストロボズームによる反射傘３０６と放電管３０５の相対位置の変化、および放電管３０５の発光量の変化に基づく光源部の上下配光の変化を示す図である。
【００３３】
図６〜図８において、放電管３０５の中心と反射傘３０６の底部の相対距離をＬｎ（ｎ＝１、２、３）、放電管３０５内の発光体の中心と反射傘３０６の底部の相対距離をＸｎ（ｎ=１０、１１、１２、２０、２１、２２、３０、３１、３２）とする。レンズ群２０２が広角状態（例えば、焦点距離が２８ｍｍ）であり、放電管３０５が標準位置（ミドル位置）に対してワイド側の位置（ワイド位置）に位置している場合の相対距離がＬ１である。レンズ群２０２が標準状態（例えば、焦点距離が５０ｍｍ）であり、放電管３０５が標準位置に位置している場合の相対距離がＬ２である。レンズ群２０２が望遠状態（例えば、焦点距離が１０５ｍｍ）であり、放電管３０５が標準位置に対してテレ側の位置（テレ位置）に位置している場合の相対距離がＬ３である。図に示されるように、Ｌ１＞Ｌ２＞Ｌ３の関係である。
【００３４】
図６（ａ）は、レンズ群２０２が広角状態であり、放電管３０５がフル発光している場合を示している。フル発光時、放電管３０５の発光体４０１−１は、放電管３０５の管内全体に広がっている。
【００３５】
図６（ｂ−０）は、レンズ群２０２が広角状態であり、放電管３０５が小発光（例えば、１／１２８発光）している場合の放電管３０５の発光体４０１−２の理想的な位置を示している。小発光時にはフル発光時に比べて放電管３０５に流れる電流が減少するため、発光体４０１−２は発光体４０１−１に比べて小さく（細く）なっており、放電管３０５の中心で発光する。相対距離Ｌ１は、発光体４０１−２の中心と反射傘３０６の底部の相対距離Ｘ１０と同じである。
【００３６】
図６（ｂ−１）は、レンズ群２０２が広角状態であり、放電管３０５が小発光している場合の発光体４０１−２の実際の位置を示している。この場合、放電管３０５と反射傘３０６が十分離れており、図６（ｂ−０）の場合と同様に発光体４０１−２は放電管３０５の中心で発光し、相対距離Ｌ１は発光体４０１−２の中心と反射傘３０６の底部の相対距離Ｘ１１と同じである。
【００３７】
図６（ｃ−０）は、レンズ群２０２が標準状態であり、放電管３０５が小発光している場合の発光体４０１−２の理想的な位置を示している。発光体４０１−２は放電管３０５の中心で発光し、相対距離Ｌ２は発光体４０１−２の中心と反射傘３０６の底部の相対距離Ｘ２０と同じである。
【００３８】
図６（ｃ−１）は、レンズ群２０２が標準状態であり、放電管３０５が小発光している場合の発光体４０１−２の実際の位置を示している。この場合、放電管３０５と反射傘３０６が十分離れており、図６（ｃ−０）の場合と同様に発光体４０１−２は放電管３０５の中心で発光し、相対距離Ｌ２は発光体４０１−２の中心と反射傘３０６の底部の相対距離Ｘ２１と同じである。
【００３９】
図６（ｄ−０）は、レンズ群２０２が望遠状態であり、放電管３０５が小発光している場合の発光体４０１−２の理想的な位置を示している。発光体４０１−２は放電管３０５の中心で発光し、相対距離Ｌ３は発光体４０１−２の中心と反射傘３０６の底部の相対距離Ｘ３０と同じである。
【００４０】
図６（ｄ−１）は、レンズ群２０２が望遠状態であり、放電管３０５が小発光している場合の発光体４０１−２の実際の位置を示している。この場合、放電管３０５と反射傘３０６が接近しているため、発光体４０１−２は、導電性の反射傘３０６に引き寄せられ、放電管３０５の反射傘３０６の底部側で発光する。このとき、相対距離Ｌ３は、発光体４０１−２の中心と反射傘３０６の底部の相対距離Ｘ３１より大きくなっている。そのため、図６（ｄ−０）の場合に比べて、配光角が狭い。
【００４１】
図９（ｂ）は、レンズ群２０２が望遠状態である場合の上下配光カーブを示している。フル発光（１／１発光）は実線、小発光（１／１２８発光）は点線で示されている。横軸のマイナス方向は下向き、プラス方向は上向き、縦軸は最大光量に対する発光量の低下（段数）を示している。小発光時では、図６（ｄ−１）に示されるように、発光体４０１−２は放電管３０５の反射傘３０６の底部側で発光する。配光角が段数の−１段における上下の角度の範囲である場合、フル発光時の配光角ａは２０°であるのに対し、小発光時の配光角ｂは１６°である。
【００４２】
図７は、発光のトリガーが安定してかかるように、透明の導電性被膜（ネサコーティング）３０５−１を放電管３０５の反射傘３０６の底部側に塗布した場合の説明図である。
【００４３】
図７（ａ）は、レンズ群２０２が広角状態であり、放電管３０５がフル発光している場合を示している。フル発光時、放電管３０５の発光体４０１−１は、放電管３０５の管内全体に広がっている。
【００４４】
図７（ｂ−０）は、レンズ群２０２が広角状態であり、放電管３０５が小発光している場合の放電管３０５の発光体４０１−２の理想的な位置を示している。発光体４０１−２は放電管３０５の中心で発光し、相対距離Ｌ１は発光体４０１−２の中心と反射傘３０６の底部の相対距離Ｘ１０と同じである。
【００４５】
図７（ｂ−１）は、レンズ群２０２が広角状態であり、放電管３０５が小発光している場合の発光体４０１−２の実際の位置を示している。この場合、発光体４０１−２は、導電性被膜３０５−１に引き寄せられ、放電管３０５の反射傘３０６の底部側で発光する。このとき、相対距離Ｌ１は、発光体４０１−２の中心と反射傘３０６の底部の相対距離Ｘ１１より大きくなっている。そのため、図７（ｂ−０）の場合に比べて、配光角が狭い。
【００４６】
図７（ｃ−０）は、レンズ群２０２が標準状態であり、放電管３０５が小発光している場合の発光体４０１−２の理想的な位置を示している。発光体４０１−２は放電管３０５の中心で発光し、相対距離Ｌ２は発光体４０１−２の中心と反射傘３０６の底部の相対距離Ｘ２０と同じである。
【００４７】
図７（ｃ−１）は、レンズ群２０２が標準状態であり、放電管３０５が小発光している場合の発光体４０１−２の実際の位置を示している。この場合、発光体４０１−２は、導電性被膜３０５−１に引き寄せられ、放電管３０５の反射傘３０６の底部側で発光する。このとき、相対距離Ｌ２は、発光体４０１−２の中心と反射傘３０６の底部の相対距離Ｘ２１より大きくなっている。そのため、図７（ｃ−０）の場合に比べて、配光角が狭い。
【００４８】
図７（ｄ−０）は、レンズ群２０２が望遠状態であり、放電管３０５が小発光している場合の発光体４０１−２の理想的な位置を示している。発光体４０１−２は放電管３０５の中心で発光し、相対距離Ｌ３は発光体４０１−２の中心と反射傘３０６の底部の相対距離Ｘ３０と同じである。
【００４９】
図７（ｄ−１）は、レンズ群２０２が望遠状態であり、放電管３０５が小発光している場合の発光体４０１−２の実際の位置を示している。この場合、発光体４０１−２は、導電性被膜３０５−１および反射傘３０６に引き寄せられ、放電管３０５の反射傘３０６の底部側で発光する。このとき、相対距離Ｌ３は、発光体４０１−２の中心と反射傘３０６の底部の相対距離Ｘ３１より大きくなっている。そのため、図７（ｄ−０）の場合に比べて、配光角が狭い。
【００５０】
図９（ａ）は、レンズ群２０２が広角状態である場合の上下配光カーブを示している。フル発光（１／１発光）は実線、小発光（１／１２８発光）は点線で示されている。横軸のマイナス方向は下向き、プラス方向は上向き、縦軸は最大光量に対する発光量の低下（段数）を示している。小発光時では、図７（ｂ−１）に示されるように、発光体４０１−２は放電管３０５の反射傘３０６の底部側で発光する。配光角が段数の−１段における上下の角度の範囲である場合、フル発光時の配光角ａは５６°であるのに対し、小発光時の配光角ｂは４８°である。
【００５１】
図８は、発光のトリガーが安定してかかるように、透明の導電性被膜（ネサコーティング）３０５−１を放電管３０５の反射傘３０６の開口部側に塗布した場合の説明図である。
【００５２】
図８（ａ）は、レンズ群２０２が広角状態であり、放電管３０５がフル発光している場合を示している。フル発光時、放電管３０５の発光体４０１−１は、放電管３０５の管内全体に広がっている。
【００５３】
図８（ｂ−０）は、レンズ群２０２が広角状態であり、放電管３０５が小発光している場合の放電管３０５の発光体４０１−２の理想的な位置を示している。発光体４０１−２は放電管３０５の中心で発光し、相対距離Ｌ１は発光体４０１−２の中心と反射傘３０６の底部の相対距離Ｘ１０と同じである。
【００５４】
図８（ｂ−１）は、レンズ群２０２が広角状態であり、放電管３０５が小発光している場合の発光体４０１−２の実際の位置を示している。この場合、発光体４０１−２は、導電性被膜３０５−１に引き寄せられ、放電管３０５の反射傘３０６の開口部側で発光する。このとき、相対距離Ｌ１は、発光体４０１−２の中心と反射傘３０６の底部の相対距離Ｘ１１より小さくなっている。そのため、図８（ｂ−０）の場合に比べて、配光角が広い。
【００５５】
図８（ｃ−０）は、レンズ群２０２が標準状態であり、放電管３０５が小発光している場合の発光体４０１−２の理想的な位置を示している。発光体４０１−２は放電管３０５の中心で発光し、相対距離Ｌ２は発光体４０１−２の中心と反射傘３０６の底部の相対距離Ｘ２０と同じである。
【００５６】
図８（ｃ−１）は、レンズ群２０２が標準状態であり、放電管３０５が小発光している場合の発光体４０１−２の実際の位置を示している。この場合、発光体４０１−２は、導電性被膜３０５−１と反射傘３０６の関係性により、図８（ｃ−０）の場合と同様に発光体４０１−２は放電管３０５の中心で発光し、相対距離Ｌ２は発光体４０１−２の中心と反射傘３０６の底部の相対距離Ｘ２１と同じである。
【００５７】
図８（ｄ−０）は、レンズ群２０２が望遠状態であり、放電管３０５が小発光している場合の発光体４０１−２の理想的な位置を示している。発光体４０１−２は放電管３０５の中心で発光し、相対距離Ｌ３は発光体４０１−２の中心と反射傘３０６の底部の相対距離Ｘ３０と同じである。
【００５８】
図８（ｄ−１）は、レンズ群２０２が望遠状態であり、放電管３０５が小発光している場合の発光体４０１−２の実際の位置を示している。この場合、発光体４０１−２は、反射傘３０６に引き寄せられ、放電管３０５の反射傘３０６の底部側で発光する。このとき、相対距離Ｌ３は、発光体４０１−２の中心と反射傘３０６の底部の相対距離Ｘ３１より大きくなっている。そのため、図８（ｄ−０）の場合に比べて、配光角が狭い。
【００５９】
図９（ｃ）は、レンズ群２０２が広角状態である場合の上下配光カーブを示している。フル発光（１／１発光）は実線、小発光（１／１２８発光）は点線で示されている。横軸のマイナス方向は下向き、プラス方向は上向き、縦軸は最大光量に対する発光量の低下（段数）を示している。小発光時では、図８（ｂ−１）に示されるように、発光体４０１−２は放電管３０５の反射傘３０６の開口部側で発光する。配光角が段数の−１段における上下の角度の範囲である場合、フル発光時の配光角ａは５６°であるのに対し、小発光時の配光角ｂは５９°である。
【００６０】
なお、図６から図９の放電管３０５と反射傘３０６の相対位置や配光角は一例であり、本発明はこれに限定されない。
【００６１】
また、図６から図９の放電管３０５と反射傘３０６の位置情報については、ストロボマイコン３１０内の記憶装置またはストロボマイコン３１０に接続される記憶装置に記憶されている。
［動作フロー］
図１０および図１１を参照して、照明装置３００が装着されたカメラ本体１００の各種処理について説明する。図１０および図１１は、ストロボズームおよび発光撮影に係るカメラ本体１００の各種処理を示すフローチャートである。電源スイッチがＯＮされてカメラマイコン１０１が動作可能となると、図１０の処理が開始される。
【００６２】
ステップＳ１では、カメラマイコン１０１は、自身のメモリやポートの初期化を行う。また、カメラマイコン１０１は、入力部１１２に含まれるスイッチの状態やあらかじめ設定された入力情報を読み込み、シャッタースピードや絞り等の撮影条件を決定する。
【００６３】
ステップＳ２では、カメラマイコン１０１は、レリーズスイッチが操作され、ＳＷ１がＯＮであるか否かを判定する。ＳＷ１がＯＮである場合、ステップＳ３に進み、ＳＷ１がＯＦＦである場合、ステップＳ２を繰り返す。
【００６４】
ステップＳ３では、カメラマイコン１０１は、レンズユニット２００の焦点距離情報、および焦点調節や測光に必要な光学情報（レンズ情報）を、レンズマイコン２０１から取得する。
【００６５】
ステップＳ４では、カメラマイコン１０１は、カメラ本体１００に照明装置３００が装着されているか否かを判定する。カメラ本体１００に照明装置３００が装着されている場合、ステップＳ５ａに進み、装着されていない場合、ステップＳ８ｂに進む。なお、装着の判定は、カメラ・ストロボ間の通信が行われているか否かで判定してもよいし、機械的なスイッチで判定してもよい。
【００６６】
ステップＳ５ａでは、カメラマイコン１０１は、照明ＩＤやメインコンデンサ３０２ｄの充電状態に関する充電情報などの照明情報（ストロボ情報）を、ストロボマイコン３１０から取得する。
【００６７】
ステップＳ６ａでは、カメラマイコン１０１は、入力部１１２を介して入力された照明装置３００に関する情報をストロボマイコン３１０に送信する準備を行う。本ステップでは、照明装置３００に関する情報をコマンド送信に変換する。例えば、レンズユニット２００の焦点距離の変化に応じて、撮影時の照射角を自動的に決定する動作（オートズーム動作）を実行可能な装置であるかどうかの情報、およびカメラ本体側の設定やレリーズスイッチの状態などの情報をコマンド送信に変換する。
【００６８】
ステップＳ７ａでは、カメラマイコン１０１は、ステップＳ６ａで準備された照明装置３００に関する情報を照明装置３００に送信する。また、カメラマイコン１０１は、ステップＳ３で取得された焦点距離情報をストロボマイコン３１０に送信する。ストロボマイコン３１０は、焦点距離情報を記憶する。
【００６９】
ステップＳ８ａでは、カメラマイコン１０１は、設定されている焦点調節モードが自動焦点調節（ＡＦ）モードであるか否かを判定する。自動焦点調節モードである場合、ステップＳ９ａに進み、手動焦点調節（ＭＦ）モードである場合、ステップＳ１１に進む。
【００７０】
ステップＳ９ａでは、カメラマイコン１０１は、焦点検出回路１０７に位相差検出法による焦点検出動作を実行させる。また、本ステップでは、焦点を合わせる焦点検出点（焦点検出ポイント）は、近点優先に基づく自動選択アルゴリズムや入力部１１２へのユーザーの操作などに応じて複数の焦点検出点から決定される。
【００７１】
ステップＳ１０ａでは、カメラマイコン１０１は、ステップＳ９ａで決定された焦点検出点をカメラマイコン１０１内のＲＡＭに記憶させる。また、カメラマイコン１０１は、焦点検出回路１０７からの焦点情報に基づいて、レンズ群２０２の駆動量を算出する。そして、カメラマイコン１０１は、算出された駆動量に基づいて、レンズマイコン２０１を介してレンズ群２０２を移動させる。
【００７２】
ステップＳ１１では、カメラマイコン１０１は、オートズーム動作を実行させるか否かを判別する。オートズーム動作を実行させる場合、ステップＳ５ｂに進み、実行させない場合、ステップＳ１３に進む。
【００７３】
ステップＳ５ｂ〜Ｓ７ｂの処理はそれぞれ、ステップＳ５ａ〜Ｓ７ａの処理と同様である。なお、ステップＳ７ｂでは、最新の焦点距離情報がストロボマイコン３１０に送信される。
【００７４】
ステップＳ１２では、カメラマイコン１０１は、後述のストロボズーム処理を実行する。
【００７５】
ステップＳ８ｂ〜Ｓ１０ｂの処理はそれぞれ、ステップＳ８ａ〜Ｓ１０ａの処理と同様である。
【００７６】
ステップＳ１３では、カメラマイコン１０１は、測光回路１０６による測光の結果（被写体輝度値）を取得する。例えば、測光回路１０６の測光センサーが６つに分割された領域のそれぞれで測光を行う場合、カメラマイコン１０１は取得した測光結果としての各領域の輝度値を「ＥＶｂ（ｉ）（ｉ＝０〜５）」としてＲＡＭに記憶させる。
【００７７】
ステップＳ１４では、カメラマイコン１０１は、入力部１１２により入力されたゲイン設定に応じてゲイン切換回路１０８により切り換えられるゲインの設定情報をストロボマイコン３１０に送信する。なお、ゲイン設定とは、例えばＩＳＯ感度設定である。
【００７８】
ステップＳ１５では、カメラマイコン１０１は、ステップＳ１３で取得された測光結果（ＲＡＭに記憶されている各領域の輝度値）に基づいて露出値（ＥＶｓ）を算出する。
【００７９】
ステップＳ１６では、カメラマイコン１０１は、ストロボマイコン３１０から充電完了信号を受信したか否かを判別する。充電完了信号を受信した場合、ステップＳ１７に進み、受信していない場合、ステップＳ１８に進む。
【００８０】
ステップＳ１７では、カメラマイコン１０１は、ステップＳ１５で算出された露出値に基づいて発光撮影に適した露出制御値（シャッタ速度（Ｔｖ）と絞り値（Ａｖ））を決定する。
【００８１】
ステップＳ１８では、カメラマイコン１０１は、ステップＳ１５で算出された露出値に基づいて照明装置３００を発光させない撮影（非発光撮影）に適した露出制御値を決定する。
【００８２】
ステップＳ１９では、カメラマイコン１０１は、レリーズスイッチが操作され、ＳＷ２がＯＮであるか否かを判定する。ＳＷ２がＯＮである場合、図１１のステップＳ２０に進み、ＳＷ２がＯＦＦである場合、ステップＳ２に戻る。
【００８３】
ステップＳ２０以降の処理は発光撮影に関し、非発光撮影に関する処理はステップＳ２０以降の処理の中で本発光を行うための処理を省略したものである。
【００８４】
ステップＳ２０では、カメラマイコン１０１は、測光回路１０６による照明装置３００が発光していない状態で行われた測光の結果（非発光時輝度値）を取得する。また、カメラマイコン１０１は、取得した測光結果としての各領域の非発光時輝度値を「ＥＶａ（ｉ）（ｉ＝０〜５）」として、ＲＡＭに記憶させる。
【００８５】
ステップＳ２１では、カメラマイコン１０１は、ストロボマイコン３１０に対して予備発光（プリ発光）の命令を行う。ストロボマイコン３１０は、この命令に従って、トリガー回路３０３と発光制御回路３０４とを制御して、所定の発光量で予備発光を行う。積分回路３０９は、放電管３０５から発せられる光に基づくフォトダイオード３１４の受光電流を積分する。ストロボマイコン３１０は、積分回路３０９の積分値が所定値に達した場合、発光を停止させるが、このときの発光量を一定にするために、後述するように、発光体の位置により発光量の補正を行う。
【００８６】
ステップＳ２２では、カメラマイコン１０１は、測光回路１０６による予備発光時の測光の結果（予備発光時輝度値）を取得する。また、カメラマイコン１０１は、取得した測光結果としての各領域の予備発光時輝度値を「ＥＶｆ（ｉ）（ｉ＝０〜５）」として、ＲＡＭに記憶させる。
【００８７】
ステップＳ２３では、カメラマイコン１０１は、メインミラー１０４を撮影光路内から退避させる。
【００８８】
ステップＳ２４では、カメラマイコン１０１は、以下の式（１）より、予備発光時の被写体からの反射光成分のみの輝度値（予備発光時反射光成分輝度値）ＥＶｄｆ（ｉ）を６つの領域ごとに算出する。
【００８９】
ＥＶｄｆ（ｉ）＝ＬＮ２（２＾ＥＶｆ（ｉ）−２＾ＥＶａ（ｉ））（ｉ＝０〜５）      （１）
ステップＳ２５では、カメラマイコン１０１は、ストロボマイコン３１０から予備発光時の発光量を示す予備発光情報Ｑｐｒｅを取得する。
【００９０】
ステップＳ２６では、カメラマイコン１０１は、まず、焦点検出点、焦点距離情報、予備発光情報Ｑｐｒｅから、６つの領域のうちどの領域の被写体に対して適正な発光量とするか選択する。次に、カメラマイコン１０１は、選択した領域（Ｐ）の被写体について、以下の式（２）より、予備発光時の発光量に対して適正となる本発光時の発光量の相対比ｒを算出する。
【００９１】
ｒ＝ＬＮ２（２＾ＥＶｓ−２＾ＥＶｂ（ｐ））−ＥＶｄｆ（ｐ）               （２）
ここで、露出値ＥＶｓから被写体輝度値ＥＶｂの伸張したものの差分をとっているのは、照明光を照射したときの露出が、外光分に照明光を加えて適正となるように制御するためである。
【００９２】
ステップＳ２７では、カメラマイコン１０１は、以下の式（３）より、発光撮影時のシャッタ速度Ｔｖ、予備発光の発光時間ｔ＿ｐｒｅおよび入力部１１２によりあらかじめ設定された補正係数ｃを用いて相対比ｒを補正し、新たな相対比ｒを算出する。
【００９３】
ｒ＝ｒ＋Ｔｖ−ｔ＿ｐｒｅ＋ｃ                                      （３）
ここで、シャッタ速度Ｔｖと予備発光の発光時間ｔ＿ｐｒｅを用いて補正するのは、予備発光時の測光積分値ＩＮＴｐと本発光時の測光積分値ＩＮＴｍとを正しく比較するためである。
【００９４】
ステップＳ２８では、カメラマイコン１０１は、本発光時の発光量を決定するための相対比ｒに関する情報を、ストロボマイコン３１０に送信する。
【００９５】
ステップＳ２９では、カメラマイコン１０１は、後述のストロボズーム補正処理を行う。
【００９６】
ステップＳ３０では、カメラマイコン１０１は、ステップＳ１７またはステップＳ１８で決定された絞り値になるようにレンズマイコン２０１に指令を出すとともに、決定されたシャッタ速度になるようにシャッタ１０３を制御する。
【００９７】
ステップＳ３１では、カメラマイコン１０１は、ストロボマイコン３１０に対して本発光の命令を行う。ストロボマイコン３１０は、カメラマイコン１０１から送信された相対比ｒに基づいて本発光を行う。
【００９８】
ステップＳ３２では、カメラマイコン１０１は、撮影光路内から退避させていたメインミラー１０４を撮影光路内に斜設させる。
【００９９】
ステップＳ３３では、カメラマイコン１０１は、現像処理を実行する。具体的には、撮像素子１０２から出力される信号をゲイン切換回路１０８で設定されたゲインで増幅した後、Ａ／Ｄ変換器１０９でデジタル信号に変換する。そして、信号処理回路１１１に、デジタル信号に変換された画像データに対してホワイトバランスなど所定の信号処理を行わせる。
【０１００】
ステップＳ３４では、カメラマイコン１０１は、信号処理が施された画像データを図示しないメモリに記録する。
【０１０１】
ステップＳ３５では、カメラマイコン１０１は、レリーズスイッチが操作され、ＳＷ１がＯＮであるか否かを判定する。ＳＷ１がＯＮである場合、ステップＳ１９に戻り、ＳＷ１がＯＦＦである場合、ステップＳ２に戻る。
［ストロボズーム処理］
図１２を参照して、ストロボズーム処理について説明する。図１２は、ストロボズーム処理を示すフローチャートである。
【０１０２】
ステップＳ１０１では、ストロボマイコン３１０は、ステップ７ａおよびステップ７ｂで記憶された焦点距離情報を取得する。
【０１０３】
ステップＳ１０２では、ストロボマイコン３１０は、あらかじめ記憶されている放電管３０５と反射傘３０６の位置情報を取得する。なお、位置情報は、絶対位置情報でもよいし、相対位置情報でもよい。
【０１０４】
ステップＳ１０３では、ストロボマイコン３１０は、ユーザーが自由に発光量を設定できるマニュアル発光モードに設定されているか否かを判定する。マニュアル発光モードに設定されている場合、ステップＳ１０４に進み、マニュアル発光モードに設定されていない場合、すなわち予備発光モードが設定されている場合、ステップＳ１０５に進む。
【０１０５】
ステップＳ１０４では、ストロボマイコン３１０は、マニュアル発光モードが設定されているという情報（マニュアル発光モード情報）をカメラ本体１００に送信する。
【０１０６】
ステップＳ１０５では、ストロボマイコン３１０は、予備発光モードが設定されているという情報（予備発光モード情報）をカメラ本体１００に送信する。
【０１０７】
ステップＳ１０６では、マニュアル発光時の発光量があらかじめ設定された値（設定値）より小さいか否かを判定する。発光量が設定値より小さい場合、ステップＳ１０８に進み、設定値より大きい場合、ステップＳ１０７に進む。なお、発光量が設定値と等しい場合、いずれのステップに進むかは任意に設定可能である。なお、設定値は、発光体が小さく（細く）なる小発光時の発光量であり、放電管３０５と反射傘３０６の相対位置に応じて光源部の配光角が変化する発光量である。
【０１０８】
ステップＳ１０７では、ストロボマイコン３１０は、照射範囲を焦点距離に合わせた範囲に変更するために、焦点距離情報に基づいて算出された駆動量を用いてズーム光学系３０７を移動させるズーム動作を実行する。本ステップでは、図６（ａ）〜図８（ａ）に示されるように、放電管３０５がフル発光し、照明装置３００の配光は最適である。そのため、ズーム動作に応じて放電管３０５を所定位置まで移動させるストロボズーム移動は実行されるが、放電管３０５の位置を変更することで配光角を補正するストロボズーム補正は実行されない。
【０１０９】
ステップＳ１０８では、ストロボマイコン３１０は、配光角を補正するストロボズーム補正が必要かどうかを判定する。前述したように、放電管３０５と反射傘３０６の相対位置、放電管３０５の発光量および導電性被膜３０５−１の位置に応じて配光角が理想の角度からずれる場合がある。例えば、図６（ｄ−１）、図７（ｂ−１）〜図７（ｄ−１）、図８（ｂ−１）および図８（ｄ−１）のように、発光体４０１−２が放電管３０５の中心とは異なる位置で発光する場合、配光角は理想の角度からずれており、補正する必要がある。ストロボズーム補正が必要である場合、ステップＳ１０９に進み、ストロボズーム補正が必要でない場合、ステップＳ１０７に進む。
【０１１０】
ステップＳ１０９では、ストロボマイコン３１０は、ズーム動作を実行する。ズーム動作に応じて、ストロボズーム移動が実行される。また、ストロボマイコン３１０は、放電管３０５の位置を変更することで配光角を補正するストロボズーム補正を実行する。例えば、ズーム動作後、図６（ｄ−１）の状態では、ストロボマイコン３１０は、図６（ｄ−２）のように相対距離Ｌ３が発光体４０１−２の中心と反射傘３０６の底部の相対距離Ｘ３２と同じになるように、放電管３０５を反射傘３０６の開口部側に移動させる。同様に、ズーム動作後、図７（ｂ−１）〜図７（ｄ−１）、図８（ｄ−１）の状態では、ストロボマイコン３１０は、図７（ｂ−２）〜図７（ｄ−２）、図８（ｄ−２）のように、放電管３０５を反射傘３０６の開口部側に移動させる。また、ズーム動作後、図８（ｂ−１）の状態では、ストロボマイコン３１０は、図８（ｂ−２）のように相対距離Ｌ１が発光体４０１−２の中心と反射傘３０６の底部の相対距離Ｘ１２と同じになるように、放電管３０５を反射傘３０６の底部側に移動させる。
［ストロボズーム補正処理］
以下、図１３を参照して、ストロボズーム補正処理について説明する。図１３、予備発光後に算出された本発光の発光量に対するストロボズーム補正処理を示すフローチャートである。
【０１１１】
ステップＳ２０１では、ストロボマイコン３１０は、予備発光後にカメラマイコン１０１により算出された本発光時の放電管３０５の発光量情報を、カメラマイコン１０１から受信し、記憶する。
【０１１２】
ステップＳ２０２では、ストロボマイコン３１０は、あらかじめ記憶されている放電管３０５と反射傘３０６の位置情報を取得する。なお、位置情報は、絶対位置情報でもよいし、相対位置情報でもよい。
【０１１３】
ステップＳ２０３では、ストロボマイコン３１０は、予備発光モードに設定されているか否かを判定する。予備発光モードに設定されている場合、ステップＳ２０４に進み、予備発光モードに設定されていない場合、ステップＳ２０５に進む。
【０１１４】
ステップＳ２０４では、ストロボマイコン３１０は、ステップＳ２０１で受信した本発光時の発光量があらかじめ設定された値（設定値）より小さいか否かを判定する。発光量が設定値より小さい場合、ステップＳ２０６に進み、設定値より大きい場合、ステップＳ２０５に進む。なお、発光量が設定値と等しい場合、いずれのステップに進むかは任意に設定可能である。
【０１１５】
ステップＳ２０５では、ストロボマイコン３１０は、図１２のステップＳ１０７と同様の処理を行う。
【０１１６】
ステップＳ２０６では、ストロボマイコン３１０は、図１２のステップＳ１０８と同様の処理を行う。
ストロボズーム補正が必要である場合、ステップＳ２０７に進み、ストロボズーム補正が必要でない場合、ステップＳ２０５に進む。
【０１１７】
ステップＳ２０７では、ストロボマイコン３１０は、図１２のステップＳ１０９と同様の処理を行う。
【０１１８】
なお、本実施例では、図１０のステップＳ１１でオートズーム動作実行時のストロボズーム処理について説明したが、本発明はこれに限定されない。マニュアルズーム動作実行時であっても図１１のステップＳ２９のストロボズーム補正処理にてマニュアルズーム焦点距離でのストロボズーム補正が必要であれば補正を行ってもよい。
【実施例２】
【０１１９】
本実施例では、実施例１と異なるストロボズーム処理が実行される。他の構成や処理については、実施例１と同一であるため、詳細な説明は省略する。図１４は、本実施例のストロボズーム処理を示すフローチャートである。
【０１２０】
ステップＳ３０１では、ストロボマイコン３１０は、ステップ７ａおよびステップ７ｂで記憶された焦点距離情報を取得する。
【０１２１】
ステップＳ３０２では、ストロボマイコン３１０は、あらかじめ記憶している放電管３０５と反射傘３０６の位置情報を取得する。なお、位置情報は、絶対位置情報でもよいし、相対位置情報でもよい。
【０１２２】
ステップＳ３０３では、ストロボマイコン３１０は、ユーザーが配光角を焦点距離に基づいて決定される配光角より広く設定可能な配光優先発光モードに設定されているか否かを判定する。配光優先発光モードに設定されている場合、ステップＳ３０４に進み、配光優先発光モードに設定されていない場合、ステップＳ３１１に進む。
【０１２３】
ステップＳ３０４では、ストロボマイコン３１０は、配光優先発光モードに設定されているという情報（配光優先発光モード情報）をカメラ本体１００に送信する。
【０１２４】
ステップＳ３０５では、ストロボマイコン３１０は、発光量があらかじめ設定された値（設定値）より小さいか否かを判定する。発光量が設定値より小さい場合、ステップＳ３０７に進み、設定値より大きい場合、ステップＳ３０６に進む。なお、発光量が設定値と等しい場合、いずれのステップに進むかは任意に設定可能である。本ステップでの処理は、図１２のステップＳ１０６の処理と同様である。本ステップにおける発光量は、実施例１のマニュアル発光モードにおける発光量でもよいし、予備発光モードにおける本発光時の発光量でもよい。
【０１２５】
ステップＳ３０６では、ストロボマイコン３１０は、焦点距離情報に基づいて算出された駆動量を広角側（ワイド側）に補正（ＷＩＤＥ補正）し、補正後の駆動量に基づいてズーム光学系３０７を移動させるズーム動作を実行させる。
【０１２６】
ステップＳ３０７では、ストロボマイコン３１０は、発光体４０１−２が放電管３０５の中心に対してワイド側（反射傘３０６の開口部側）に位置しているか否かを判定する。例えば、図８（ｂ−１）の場合である。発光体４０１−２がワイド側に位置している場合、ステップＳ３０８に進み、ワイド側に位置していない場合、ステップＳ３０９に進む。
【０１２７】
ステップＳ３０８では、ストロボマイコン３１０は、焦点距離情報に基づいて算出された駆動量を用いてズーム光学系３０７を移動させるズーム動作を実行する。本ステップでは、ズーム動作に応じて放電管３０５を所定位置まで移動させるストロボズーム移動は実行されるが、放電管３０５の位置を変更することで配光角を補正するストロボズーム補正は実行されない。
【０１２８】
ステップＳ３０９では、ストロボマイコン３１０は、発光体４０１−２が放電管３０５の中心に対してテレ側（反射傘３０６の底部側）に位置しているか否かを判定する。例えば、図６（ｄ−１）、図７（ｂ−１）〜図７（ｄ−１）、図８（ｄ−１）の場合である。発光体４０１−２がテレ側に位置している場合、ステップＳ３１０に進み、テレ側に位置していない場合、ステップＳ３０６に進む。
【０１２９】
ステップＳ３１０では、ストロボマイコン３１０は、焦点距離情報に基づいて算出された駆動量を広角側に補正し、補正後の駆動量に基づいてズーム光学系３０７を移動させるズーム動作を実行する。また、ストロボマイコン３１０は、放電管３０５を反射傘３０６の開口部側に移動させるストロボズーム補正を実行する。
【０１３０】
ステップＳ３１１では、ストロボマイコン３１０は、ガイドナンバー（ＧＮ）優先発光モードに設定されているか否かを判定する。ガイドナンバー優先発光モードに設定されている場合、ステップＳ３１２に進み、ガイドナンバー優先発光モードに設定されていない場合、ステップＳ３１８に進む。
【０１３１】
ステップＳ３１２では、ストロボマイコン３１０は、ガイドナンバー優先発光モードに設定されているという情報（ＧＮ優先発光モード情報）をカメラ本体１００に送信する。
【０１３２】
ステップＳ３１３では、ストロボマイコン３１０は、発光量があらかじめ設定された値（設定値）より小さいか否かを判定する。発光量が設定値より小さい場合、ステップＳ３１５に進み、設定値より大きい場合、ステップＳ３１４に進む。なお、発光量が設定値と等しい場合、いずれのステップに進むかは任意に設定可能である。本ステップでの処理は、図１２のステップＳ１０６の処理と同様である。本ステップにおける発光量は、実施例１のマニュアル発光モードにおける発光量でもよいし、予備発光モードにおける本発光時の発光量でもよい。
【０１３３】
ステップＳ３１４では、ストロボマイコン３１０は、焦点距離情報に基づいて算出された駆動量を望遠側（テレ側）に補正（ＴＥＬＥ補正）し、補正後の駆動量に基づいてズーム光学系３０７を移動させるズーム動作を実行させる。
【０１３４】
ステップＳ３１５では、ストロボマイコン３１０は、発光体４０１−２が放電管３０５の中心に対してテレ側（反射傘３０６の底部側）に位置しているか否かを判定する。発光体４０１−２がテレ側に位置している場合、ステップＳ３０８に進み、テレ側に位置していない場合、ステップＳ３１６に進む。
【０１３５】
ステップＳ３１６では、ストロボマイコン３１０は、発光体４０１−２が放電管３０５の中心に対してワイド側（反射傘３０６の開口部側）に位置しているか否かを判定する。発光体４０１−２がワイド側に位置している場合、ステップＳ３１７に進み、ワイド側に位置していない場合、ステップＳ３１４に進む。
【０１３６】
ステップＳ３１７では、ストロボマイコン３１０は、焦点距離情報に基づいて算出された駆動量を望遠側に補正し、補正後の駆動量に基づいてズーム光学系３０７を移動させるズーム動作を実行する。また、ストロボマイコン３１０は、放電管３０５を反射傘３０６の底部側に移動させるストロボズーム補正を実行する。
【０１３７】
ステップＳ３１８では、ストロボマイコン３１０は、発光量があらかじめ設定された値（設定値）より小さいか否かを判定する。発光量が設定値より小さい場合、ステップＳ３１９に進み、設定値より大きい場合、ステップＳ３０８に進む。なお、発光量が設定値と等しい場合、いずれのステップに進むかは任意に設定可能である。本ステップでの処理は、図１２のステップＳ１０６の処理と同様である。本ステップにおける発光量は、実施例１のマニュアル発光モードにおける発光量でもよいし、予備発光モードにおける本発光時の発光量でもよい。
【０１３８】
ステップＳ３１９では、ストロボマイコン３１０は、発光体４０１−２が放電管３０５の中心に対してワイド側（反射傘３０６の開口部側）に位置しているか否かを判定する。発光体４０１−２がワイド側に位置している場合、ステップＳ３２２に進み、ワイド側に位置していない場合、ステップＳ３２０に進む。
【０１３９】
ステップＳ３２０では、ストロボマイコン３１０は、発光体４０１−２が放電管３０５の中心に対してテレ側（反射傘３０６の底部側）に位置しているか否かを判定する。発光体４０１−２がテレ側に位置している場合、ステップＳ３２１に進み、テレ側に位置していない場合、ステップＳ３０８に進む。
【０１４０】
ステップＳ３２１では、焦点距離情報に基づいて算出された駆動量を用いてズーム光学系３０７を移動させるズーム動作を実行する。また、ストロボマイコン３１０は、放電管３０５を反射傘３０６の開口部側に移動させるストロボズーム補正を実行する。
【０１４１】
ステップＳ３２２では、ストロボマイコン３１０は、焦点距離情報に基づいて算出された駆動量を用いてズーム光学系３０７を移動させるズーム動作を実行する。また、ストロボマイコン３１０は、放電管３０５を反射傘３０６の底部側に移動させるストロボズーム補正を実行する。
【０１４２】
なお、本実施例では、実施例１とは異なるストロボズーム処理について説明したが、予備発光モードの場合もステップＳ２０３とステップＳ２０４の間に図１４のステップＳ３０３〜ステップ３１３の処理を追加してもよい。
【０１４３】
以上、本発明の好ましい実施形態について説明したが、本発明はこれらの実施形態に限定されず、その要旨の範囲内で種々の変形及び変更が可能である。例えば、上記の２つの実施例では、光源部の配光角を変化させる構成の例として、放電管を反射傘に対して前後方向へ移動させる例を説明したが、放電管と反射傘の相対距離が変化するように放電管および反射傘の少なくとも一方を移動させる構成でもよい。そのような構成の場合、移動対象に対応させて設けられたズーム駆動回路を用いて上記の２つの実施例と同等の移動制御を行えばよい。
【符号の説明】
【０１４４】
１００  カメラ本体（撮像装置）
３００  照明装置
３０５  放電管（発光手段）
３０６  反射傘（反射手段）
３１０  ストロボマイコン（制御手段）
３３０  配光変更手段（移動手段）
【図１】
2019132914.tif 000003
【図２】
2019132914.tif 000004
【図３】
2019132914.tif 000005
【図４】
2019132914.tif 000006
【図５】
2019132914.tif 000007
【図６】
2019132914.tif 000008
【図７】
2019132914.tif 000009
【図８】
2019132914.tif 000010
【図９】
2019132914.tif 000011
【図１０】
2019132914.tif 000012
【図１１】
2019132914.tif 000013
【図１２】
2019132914.tif 000014
【図１３】
2019132914.tif 000015
【図１４】
2019132914.tif 000016